(57)【特許請求の範囲】
【請求項１】
表示手段と、
ネットワークを介してディレクトリ名の指定とファイル名の指定とファイル単位の操作とを示すコマンドをホスト装置からサーバ装置へと送信する手順が定められたプロトコルを用いて、画像記憶装置と通信を行う通信手段と、
前記通信手段を介して前記画像記憶装置に記憶されるＪＰＥＧ形式の複数の画像ファイルのファイル名を取得するファイル名取得手段と、
前記ファイル名取得手段が取得したファイル名それぞれについて、前記画像ファイルのサムネイル画像データを要求するコマンドを、前記ファイル名取得手段により取得されたファイル名に、前記プロトコル内ではファイル名の文字として使用可能であり、且つ前記画像記憶装置内ではファイル名の文字として認識されない記号を介して付加し、前記画像記憶装置に出力するコマンド出力手段と、
前記コマンド出力手段により出力されたサムネイル画像データを要求するコマンドに応じて前記画像記憶装置から出力されるサムネイル画像データに基づいて、前記画像記憶装置に記憶される複数の画像ファイルに対応するサムネイル画像を、前記表示手段に表示するサムネイル表示手段と、を備えることを特徴とする表示制御装置。
【請求項２】
画像記憶装置に接続され、ネットワークを介してディレクトリ名の指定とファイル名の指定とファイル単位の操作とを示すコマンドをホスト装置からサーバ装置へと送信する手順が定められたプロトコルを用いて前記画像記憶装置から出力される情報に従った画像を画面に表示する画像処理装置において実行される表示制御プログラムであって、
前記画像処理装置に、
前記画像記憶装置に記憶されるＪＰＥＧ形式の複数の画像ファイルのファイル名を取得するファイル名取得ステップと、
前記ファイル名取得ステップにより取得されたファイル名それぞれについて、前記画像ファイルのサムネイル画像データを要求するコマンドを、前記ファイル名取得ステップにより取得されたファイル名に、前記プロトコル内ではファイル名の文字として使用可能であり、且つ前記画像記憶装置内ではファイル名の文字として認識されない記号を介して付加し、前記画像記憶装置に出力するコマンド出力ステップと、
前記コマンド出力ステップにより出力されたサムネイル画像データを要求するコマンドに応じて前記画像記憶装置から出力されるサムネイル画像データに基づいて、前記画像記憶装置に記憶される複数の画像ファイルに対応するサムネイル画像を、１つの画面内に表示するサムネイル表示ステップとを実行させることを特徴とする表示制御プログラム。
【請求項３】
前記コマンド出力ステップは、「：」を、前記プロトコル内ではファイル名の文字として使用可能であり、且つ前記画像記憶装置内ではファイル名の文字として認識されない記号として付加するものであることを特徴とする請求項２記載の表示制御プログラム。
【請求項４】
前記プロトコルは、ＦＴＰ（Ｆｉｌｅ  Ｔｒａｎｓｆｅｒ  Ｐｒｏｔｏｃｏｌ）であることを特徴とする請求項２または３に記載の表示制御プログラム。
【請求項５】
画像ファイルを記憶する記憶手段と、
ネットワークを介してディレクトリ名の指定とファイル名の指定とファイル単位の操作とを示すコマンドをホスト装置からサーバ装置へと送信する手順が定められたプロトコルを用いて、画像処理装置と通信を行う通信手段と、
前記通信手段により、前記記憶手段に記憶された画像ファイルのファイル名を、前記画像ファイルのファイル名の後ろに、ファイル名として認識されない記号と、前記画像ファイルのサムネイル画像データを要求するコマンドと、がこの順に付加された状態で受信すると、前記画像ファイルのサムネイル画像データを、前記通信手段を介して前記画像処理装置に送信する送信手段と、を備えたことを特徴とする画像記憶装置。
【請求項６】
前記プロトコルは、ＦＴＰ（Ｆｉｌｅ  Ｔｒａｎｓｆｅｒ  Ｐｒｏｔｏｃｏｌ）であることを特徴とする請求項５記載の画像記憶装置。
【請求項７】
前記記憶手段は、リムーバブルメディアであることを特徴とする請求項５または６に記載の画像記憶装置。
【請求項８】
前記ファイル名として認識されない記号は、「：」であることを特徴とする請求項５から７のいずれかに記載の画像記憶装置。
【請求項９】
画像ファイルを記憶する記憶手段と、ネットワークを介してディレクトリ名の指定とファイル名の指定とファイル単位の操作とを示すコマンドをホスト装置からサーバ装置へと送信する手順が定められたプロトコルを用いて、画像処理装置と通信を行う通信手段とを備えた画像記憶装置に、
前記通信手段により、前記記憶手段に記憶された画像ファイルのファイル名を、前記画像ファイルのファイル名の後ろに、ファイル名として認識されない記号と、前記画像ファイルのサムネイル画像データを要求するコマンドと、がこの順に付加された状態で受信すると、前記画像ファイルのサムネイル画像データを、前記通信手段を介して前記画像処理装置に送信する送信ステップを実行させることを特徴とする通信プログラム。
【請求項１０】
ネットワークを介してディレクトリ名の指定とファイル名の指定とファイル単位の操作とを示すコマンドをホスト装置からサーバ装置へと送信する手順が定められたプロトコルを用いて画像記憶装置から出力される情報に従った画像を画面に表示する画像処理装置と、前記画像記憶装置とからなる画像表示システムであって、
前記画像処理装置が、前記画像記憶装置に記憶されるＪＰＥＧ形式の複数の画像ファイルのファイル名を取得するファイル名取得手段と、
前記画像処理装置が、前記ファイル名取得手段により取得されたファイル名それぞれについて、前記画像ファイルのサムネイル画像データを要求するコマンドを、前記ファイル名取得手段により取得されたファイル名に、前記プロトコル内ではファイル名の文字として使用可能であり、且つ前記画像記憶装置内ではファイル名の文字として認識されない記号を介して付加し、前記画像記憶装置に出力する第１出力手段と、
前記画像記憶装置が、前記第１出力手段で出力された、前記記号と前記サムネイル画像データを要求するコマンドが付加されたファイル名を受信すると、前記画像ファイルのサムネイル画像データを、前記ネットワークを介して前記画像処理装置に出力する第２出力手段と、
前記画像処理装置が、前記第２出力手段により出力されたサムネイル画像データを受信すると、前記画像記憶装置に記憶される複数の画像ファイルに対応するサムネイル画像を、１つの画面内に表示するサムネイル表示手段と、を備えることを特徴とする画像表示システム。
【請求項１１】
ネットワークを介してディレクトリ名の指定とファイル名の指定とファイル単位の操作とを示すコマンドをホスト装置からサーバ装置へと送信する手順が定められたプロトコルを用いて画像記憶装置から出力される情報に従った画像を画面に表示する画像処理装置と、前記画像記憶装置との間で通信を行うための通信方法であって、
前記画像処理装置が、前記画像記憶装置に記憶されるＪＰＥＧ形式の複数の画像ファイルのファイル名を取得するファイル名取得ステップと、
前記画像処理装置が、前記ファイル名取得ステップにより取得されたファイル名それぞれについて、前記画像ファイルのサムネイル画像データを要求するコマンドを、前記ファイル名取得ステップにより取得されたファイル名に、前記プロトコル内ではファイル名の文字として使用可能であり、且つ前記画像記憶装置内ではファイル名の文字として認識されない記号を介して付加し、前記画像記憶装置に出力する第１出力ステップと、
前記画像記憶装置が、前記第１出力ステップで出力された、前記記号と前記サムネイル画像データを要求するコマンドが付加されたファイル名を受信すると、前記画像ファイルのサムネイル画像データを、前記ネットワークを介して前記画像処理装置に出力する第２出力ステップと、
前記画像処理装置が、前記第２出力ステップにより出力されたサムネイル画像データを受信すると、前記画像記憶装置に記憶される複数の画像ファイルに対応するサムネイル画像を、１つの画面内に表示するサムネイル表示ステップと、を備えることを特徴とする通信方法。
【発明の詳細な説明】
【技術分野】
【０００１】
本発明は、表示制御装置、表示制御プログラム、画像記憶装置、通信プログラム、画像表示システム、および通信方法に関するものである。
【背景技術】
【０００２】
デジタルカメラなどで撮影された複数枚の画像データを表示画面で手軽に確認するための表示形式の一つとして、画像データを縮小した縮小画像を表示画面に複数個表示する、いわゆるサムネイル表示が知られている（例えば、特許文献１）。
【０００３】
また、デジタルカメラなどで撮影された画像データをリムーバブルメディアに記録し、そのリムーバブルメディア内の画像データをパーソナルコンピュータ（以下、ＰＣと称する）に読み込み、閲覧する際には、リムーバブルメディア装置（いわゆるカードリーダ）がアダプターとして用いられる。近年、リムーバブルメディア装置としては、ＵＳＢ（Ｕｎｉｖｅｒｓａｌ  Ｓｅｒｉａｌ  Ｂｕｓ）を通信規格として通信を行うＵＳＢ方式のリムーバブルメディア装置と、共有フォルダ方式のリムーバブルメディア装置と、ＦＴＰ方式のリムーバブルメディア装置とが代表的なものとして知られている。
【０００４】
図７（ａ）は、従来のＵＳＢ方式のリムーバブルメディア装置で読み込まれた画像データをＰＣの表示画面にサムネイル表示した状態の一例を示す図である。図７（ａ）に示すように、ＵＳＢ方式のリムーバブルメディア装置および共有フォルダ方式のリムーバブルメディア装置に装着されたリムーバブルメディア内の画像データは、ＰＣにおいて、サムネイル表示（縮小版表示ともいう）させることができる。
【特許文献１】特開２０００−１２５２５１号公報
【発明の開示】
【発明が解決しようとする課題】
【０００５】
しかしながら、図７（ｂ）に示すように、従来のＦＴＰ方式のリムーバブルメディア装置が用いられる場合、リムーバブルメディア内の画像データをサムネイル表示させることができなかった。図７（ｂ）は、従来のＦＴＰ方式のリムーバブルメディア装置で読み込まれた画像データを、ＰＣの表示画面に表示した状態を示す図である。図７（ｂ）に示すように、従来のＦＴＰを介した場合、リムーバブルメディア装置からサムネイル画像を受信できず、サムネイル画像に代替して規定のアイコンが表示されていた。
【０００６】
その結果、１つのリムーバブルメディア内の画像データのうち、閲覧を希望する画像データを特定したり、全ての画像データを識別するのに、画像データを１つずつ確認する必要があり、手間と時間とを要するという問題点があった。
【０００７】
一方で、リムーバブルメディア内の画像データを全て読み込み、ＰＣにてサムネイル画像を作成し、表示する方法も考えられるが、そのように構成すると、リムーバブルメディア内の画像データを全てＰＣに送信しなければならず、データ通信に時間がかかり、サムネイル表示がされるまでに長時間を要するという問題点があった。
【０００８】
本発明は、上記問題点を解決するためになされたものであり、ネットワークを介してディレクトリ名の指定とファイル名の指定とファイル単位の操作とを示すコマンドをホスト装置からサーバ装置へと送信する手順が定められたプロトコルを用いてでも画像記憶装置が記憶する画像ファイルを手軽且つ短時間で確認することが可能な表示制御装置、表示制御プログラム、画像記憶装置、通信プログラム、画像表示システム、および通信方法を提供することを目的としている。
【課題を解決するための手段】
【０００９】
この目的を達成するために、請求項１記載の表示制御装置は、表示手段と、ネットワークを介してディレクトリ名の指定とファイル名の指定とファイル単位の操作とを示すコマンドをホスト装置からサーバ装置へと送信する手順が定められたプロトコルを用いて、画像記憶装置と通信を行う通信手段と、前記通信手段を介して前記画像記憶装置に記憶されるＪＰＥＧ形式の複数の画像ファイルのファイル名を取得するファイル名取得手段と、前記ファイル名取得手段が取得したファイル名それぞれについて、前記画像ファイルのサムネイル画像データを要求するコマンドを、前記ファイル名取得手段により取得されたファイル名に、前記プロトコル内ではファイル名の文字として使用可能であり、且つ前記画像記憶装置内ではファイル名の文字として認識されない記号を介して付加し、前記画像記憶装置に出力するコマンド出力手段と、前記コマンド出力手段により出力されたサムネイル画像データを要求するコマンドに応じて前記画像記憶装置から出力されるサムネイル画像データに基づいて、前記画像記憶装置に記憶される複数の画像ファイルに対応するサムネイル画像を、前記表示手段に表示するサムネイル表示手段と、を備える。
【００１０】
請求項２記載の表示制御プログラムは、画像記憶装置に接続され、ネットワークを介してディレクトリ名の指定とファイル名の指定とファイル単位の操作とを示すコマンドをホスト装置からサーバ装置へと送信する手順が定められたプロトコルを用いて前記画像記憶装置から出力される情報に従った画像を画面に表示する画像処理装置において実行されるプログラムであって、前記画像処理装置に、前記画像記憶装置に記憶されるＪＰＥＧ形式の複数の画像ファイルのファイル名を取得するファイル名取得ステップと、前記ファイル名取得ステップにより取得されたファイル名それぞれについて、前記画像ファイルのサムネイル画像データを要求するコマンドを、前記ファイル名取得ステップにより取得されたファイル名に、前記プロトコル内ではファイル名の文字として使用可能であり、且つ前記画像記憶装置内ではファイル名の文字として認識されない記号を介して付加し、前記画像記憶装置に出力するコマンド出力ステップと、前記コマンド出力ステップにより出力されたサムネイル画像データを要求するコマンドに応じて前記画像記憶装置から出力されるサムネイル画像データに基づいて、前記画像記憶装置に記憶される複数の画像ファイルに対応するサムネイル画像を、１つの画面内に表示するサムネイル表示ステップとを実行させる。
【００１１】
請求項３記載の表示制御プログラムは、請求項２記載の表示制御プログラムにおいて、前記コマンド出力ステップは、「：」を、前記プロトコル内ではファイル名の文字として使用可能であり、且つ前記画像記憶装置内ではファイル名の文字として認識されない記号として付加するものである。
【００１２】
請求項４記載の表示制御プログラムは、請求項２または３に記載の表示制御プログラムにおいて、前記プロトコルは、ＦＴＰ（Ｆｉｌｅ  Ｔｒａｎｓｆｅｒ  Ｐｒｏｔｏｃｏｌ）である。
【００１３】
請求項５記載の画像記憶装置は、画像ファイルを記憶する記憶手段と、ネットワークを介してディレクトリ名の指定とファイル名の指定とファイル単位の操作とを示すコマンドをホスト装置からサーバ装置へと送信する手順が定められたプロトコルを用いて、画像処理装置と通信を行う通信手段と、前記通信手段により、前記記憶手段に記憶された画像ファイルのファイル名を、前記画像ファイルのファイル名の後ろに、ファイル名として認識されない記号と、前記画像ファイルのサムネイル画像データを要求するコマンドと、がこの順に付加された状態で受信すると、前記画像ファイルのサムネイル画像データを、前記通信手段を介して前記画像処理装置に送信する送信手段と、を備える。
【００１４】
請求項６記載の画像記憶装置は、請求項５記載の画像記憶装置において、前記プロトコルは、ＦＴＰ（Ｆｉｌｅ  Ｔｒａｎｓｆｅｒ  Ｐｒｏｔｏｃｏｌ）である。
【００１５】
請求項７記載の画像記憶装置は、請求項５または６に記載の画像記憶装置において、前記記憶手段は、リムーバブルメディアである。
【００１６】
請求項８記載の画像記憶装置は、請求項５から７のいずれかに記載の画像記憶装置において、前記ファイル名として認識されない記号は、「：」である。
【００１７】
請求項９記載の通信プログラムは、画像ファイルを記憶する記憶手段と、ネットワークを介してディレクトリ名の指定とファイル名の指定とファイル単位の操作とを示すコマンドをホスト装置からサーバ装置へと送信する手順が定められたプロトコルを用いて、画像処理装置と通信を行う通信手段とを備えた画像記憶装置に、前記通信手段により、前記記憶手段に記憶された画像ファイルのファイル名を、前記画像ファイルのファイル名の後ろに、ファイル名として認識されない記号と、前記画像ファイルのサムネイル画像データを要求するコマンドと、がこの順に付加された状態で受信すると、前記画像ファイルのサムネイル画像データを、前記通信手段を介して前記画像処理装置に送信する送信ステップを実行させる。
【００１８】
請求項１０記載の画像表示システムは、ネットワークを介してディレクトリ名の指定とファイル名の指定とファイル単位の操作とを示すコマンドをホスト装置からサーバ装置へと送信する手順が定められたプロトコルを用いて画像記憶装置から出力される情報に従った画像を画面に表示する画像処理装置と、前記画像記憶装置とからなるシステムであって、前記画像処理装置が、前記画像記憶装置に記憶されるＪＰＥＧ形式の複数の画像ファイルのファイル名を取得するファイル名取得手段と、前記画像処理装置が、前記ファイル名取得手段により取得されたファイル名それぞれについて、前記画像ファイルのサムネイル画像データを要求するコマンドを、前記ファイル名取得手段により取得されたファイル名に、前記プロトコル内ではファイル名の文字として使用可能であり、且つ前記画像記憶装置内ではファイル名の文字として認識されない記号を介して付加し、前記画像記憶装置に出力する第１出力手段と、前記画像記憶装置が、前記第１出力手段で出力された、前記記号と前記サムネイル画像データを要求するコマンドが付加されたファイル名を受信すると、前記画像ファイルのサムネイル画像データを、前記ネットワークを介して前記画像処理装置に出力する第２出力手段と、前記画像処理装置が、前記第２出力手段により出力されたサムネイル画像データを受信すると、前記画像記憶装置に記憶される複数の画像ファイルに対応するサムネイル画像を、１つの画面内に表示するサムネイル表示手段と、を備える。
【００１９】
請求項１１記載の通信方法は、ネットワークを介してディレクトリ名の指定とファイル名の指定とファイル単位の操作とを示すコマンドをホスト装置からサーバ装置へと送信する手順が定められたプロトコルを用いて画像記憶装置から出力される情報に従った画像を画面に表示する画像処理装置と、前記画像記憶装置との間で通信を行うための方法であって、前記画像処理装置が、前記画像記憶装置に記憶されるＪＰＥＧ形式の複数の画像ファイルのファイル名を取得するファイル名取得ステップと、前記画像処理装置が、前記ファイル名取得ステップにより取得されたファイル名それぞれについて、前記画像ファイルのサムネイル画像データを要求するコマンドを、前記ファイル名取得ステップにより取得されたファイル名に、前記プロトコル内ではファイル名の文字として使用可能であり、且つ前記画像記憶装置内ではファイル名の文字として認識されない記号を介して付加し、前記画像記憶装置に出力する第１出力ステップと、前記画像記憶装置が、前記第１出力ステップで出力された、前記記号と前記サムネイル画像データを要求するコマンドが付加されたファイル名を受信すると、前記画像ファイルのサムネイル画像データを、前記ネットワークを介して前記画像処理装置に出力する第２出力ステップと、前記画像処理装置が、前記第２出力ステップにより出力されたサムネイル画像データを受信すると、前記画像記憶装置に記憶される複数の画像ファイルに対応するサムネイル画像を、１つの画面内に表示するサムネイル表示ステップと、を備える。
【００２０】
【００２１】
【発明の効果】
【００２２】
請求項１記載の表示制御装置または請求項２記載の表示制御プログラムによれば、ネットワークを介してディレクトリ名の指定とファイル名の指定とファイル単位の操作とを示すコマンドをホスト装置からサーバ装置へと送信する手順が定められたプロトコルを用いて、ファイル名取得手段またはファイル名取得ステップにより、画像記憶装置に記憶されるＪＰＥＧ形式の複数の画像ファイルのファイル名を取得させる。そして、コマンド出力手段またはコマンド出力ステップにより、画像ファイルのサムネイル画像データを要求するコマンドを、ファイル名取得手段またはファイル名取得ステップにより取得されたファイル名に付加して画像記憶装置に出力する。
【００２３】
ここで、デジタルカメラで撮影されたＪＰＥＧ形式の画像ファイルの先頭には、サムネイル画像データが記憶されている。よって、コマンド出力手段またはコマンド出力ステップにより出力されたコマンドに応じて画像記憶装置から出力されるサムネイル画像データに基づいて、サムネイル表示手段またはサムネイル表示ステップにより、画像記憶装置に記憶される複数の画像ファイルに対応するサムネイル画像を、１つの画面内に表示することができる。
【００２４】
その結果、ネットワークを介してディレクトリ名の指定とファイル名の指定とファイル単位の操作とを示すコマンドをホスト装置からサーバ装置へと送信する手順が定められたプロトコルを用いてでも、画像記憶装置が記憶する画像ファイルを手軽且つ短時間で確認することができるという効果がある。また、ＪＰＥＧ形式の画像ファイルに予め格納されているサムネイル画像データを利用する場合には、サムネイル画像を新たに生成する場合に比較して、処理時間が短時間となり、画像記憶装置が記憶する画像を短時間で確認することができるという効果がある。
【００２５】
また、コマンド出力手段またはコマンド出力ステップは、前記プロトコル内ではファイル名の文字として使用可能であり、且つ前記画像記憶装置内ではファイル名の文字として認識されない記号を介して前記コマンドを前記ファイル名に付加するので、画像記憶装置では、ファイル名とコマンドとを分離させることができる。その結果、簡単な処理で、コマンドに応じた処理を画像記憶装置に実行させることができ、画像記憶装置が記憶する画像を短時間で確認することができるという効果がある。
【００２６】
請求項３記載の表示制御プログラムによれば、請求項２記載の表示制御プログラムの奏する効果に加え、前記プロトコル内では「：」がファイル名として認識される。そして、ファイル名に付加された「：」およびコマンドは、一体的なファイル名として通過すると共に、画像記憶装置では、「：」がセパレータとして機能し、ファイル名とコマンドとを分離させることができるという効果がある。
【００２７】
請求項４記載の表示制御プログラムによれば、請求項２または３に記載の表示制御プログラムの奏する効果に加え、ＦＴＰをプロトコルとするネットワークを介してでも、画像記憶装置が記憶する画像ファイルを手軽且つ短時間で確認することができるという効果がある。
【００２８】
【００２９】
請求項５記載の画像記憶装置によれば、ネットワークを介してディレクトリ名の指定とファイル名の指定とファイル単位の操作とを示すコマンドをホスト装置からサーバ装置へと送信する手順が定められたプロトコルを用いてでも、画像記憶装置が記憶する画像ファイルを手軽且つ短時間で確認することができるという効果がある。また、ＪＰＥＧ形式の画像ファイルに予め格納されているサムネイル画像データを利用する場合には、サムネイル画像を新たに生成する場合に比較して、処理時間が短時間となり、画像記憶装置内の画像を短時間で確認することができるという効果がある。
【００３０】
請求項６記載の画像記憶装置によれば、請求項５記載の画像記憶装置の奏する効果に加え、ＦＴＰをプロトコルとするネットワークを介してでも、画像記憶装置に記憶された画像ファイルを手軽且つ短時間で確認させることができるという効果がある。
【００３１】
請求項７記載の画像記憶装置によれば、請求項５または６に記載の画像記憶装置の奏する効果に加え、リムーバブルメディア内の画像ファイルを手軽且つ短時間で確認させることができるという効果がある。
請求項８記載の画像記憶装置によれば、請求項５から７のいずれかに記載の画像記憶装置の奏する効果に加え、前記プロトコル内では「：」がファイル名として認識される。そして、ファイル名に付加された「：」およびコマンドは、一体的なファイル名として前記プロトコル内を通過すると共に、画像記憶装置では、「：」がセパレータとして機能し、ファイル名とコマンドとを分離させることができるという効果がある。
【００３２】
請求項９記載の通信プログラムによれば、画像記憶装置において実行されることにより、請求項５記載の画像記憶装置と同様の効果を奏する。
【００３３】
【００３４】
【００３５】
【００３６】
【００３７】
【００３８】
【００３９】
請求項１０記載の画像表示システムによれば、ネットワークを介してディレクトリ名の指定とファイル名の指定とファイル単位の操作とを示すコマンドをホスト装置からサーバ装置へと送信する手順が定められたプロトコルを用いて、ファイル名取得手段により、画像記憶装置に記憶されるＪＰＥＧ形式の複数の画像ファイルのファイル名が取得される。そして、第１出力手段により、画像ファイルのサムネイル画像データを要求するコマンドが、ファイル名取得手段により取得されたファイル名に付加して出力され、第１出力手段により出力されるコマンドが付加されたファイル名に基づいて、第２出力手段により、前記画像ファイルのサムネイル画像データが、画像処理装置に出力される。
【００４０】
ここで、デジタルカメラで撮影されたＪＰＥＧ形式の画像ファイルの先頭には、サムネイル画像データが記憶されている。よって、第１出力手段により出力されたコマンドに応じて画像記憶装置から出力されるサムネイル画像データに基づいて、サムネイル表示手段により、画像記憶装置に記憶される複数の画像ファイルに対応するサムネイル画像を、１つの画面内に表示させることができる。
【００４１】
その結果、ネットワークを介してディレクトリ名の指定とファイル名の指定とファイル単位の操作とを示すコマンドをホスト装置からサーバ装置へと送信する手順が定められたプロトコルを用いてでも、画像記憶装置が記憶する画像ファイルを手軽且つ短時間で確認することができるという効果がある。また、ＪＰＥＧ形式の画像ファイルに予め格納されているサムネイル画像データを利用する場合には、サムネイル画像を新たに生成する場合に比較して、処理時間が短時間となり、画像記憶装置が記憶する画像を短時間で確認することができるという効果がある。
請求項１１記載の通信方法によれば、請求項１０記載の画像表示システムと同様の作用効果を奏する。
【発明を実施するための最良の形態】
【００４２】
以下、本発明の好ましい実施例について、添付図面を参照して説明する。図１は、本発明の実施例の画像表示システム１００を示すブロック図である。図１に示すように、画像表示システム１００は、リムーバブルメディア装置として機能する多機能周辺装置（以下、「ＭＦＰ（Multi  Function  Peripheral）」と略す）１と、ＬＡＮ（Local  Area  Network）５０を介して接続され、画像処理装置として機能するパーソナルコンピュータ（以下、「ＰＣ」と略す）２０とから構成される。
【００４３】
ＭＦＰ１は、フォトメディアキャプチャ機能、プリンタ機能、コピー機能、スキャナ機能、ファクシミリ機能などの各種の機能を１台に備えている。図１に示すように、ＭＦＰ１は、ＭＦＰ１全体の動作を制御するＣＰＵ２と、そのＣＰＵ２により実行される各種処理に必要なデータ等を一時的に記憶するためのメモリであるＲＡＭ３と、ＣＰＵ２により実行される各種制御プログラムや固定値データを記憶するＲＯＭ４と、ＬＡＮインターフェース（以下、「ＬＡＮＩ／Ｆ」と称する）５と、プリンタ装置６と、スキャナ装置７と、ＦＴＰカードリーダ８と、ＭＦＰ１で各種機能を実行させるための複数の操作入力キー（ボタンやスイッチなど）と表示画面とから構成される操作パネル９と、フラッシュメモリ１０と、電話回線（図示なし）を介して画像情報を送受信するファクシミリ装置１１とを主に備えている。
【００４４】
ＣＰＵ２は、ＲＯＭ４に記憶された各種プログラムを実行するプロセッサであり、ＲＡＭ３は、ＣＰＵ２が各種プログラムを実行する際、変数などを一時記憶するワークエリア等を有するランダムにアクセスできるメモリである。ＲＯＭ４は、図６のフローチャートで示す処理を実行するプログラム（特許請求の範囲に記載の通信プログラム）を含む各種プログラムを格納するプログラムメモリ４ａを備えている。
【００４５】
操作パネル９は、複数の操作キーおよび表示画面を備えるものであり、ユーザが操作キーを操作することによりＭＦＰ１に指示を行うことができる。操作キーとしては、フォトメディアキャプチャ機能、コピー機能、スキャナ機能、ファクシミリ機能などの各種の機能を選択するモード選択キーや、数値や文字を入力することができるテンキーなどが備えられている。モード選択キーを操作することにより、フォトメディアキャプチャ機能を実行するフォトメディアキャプチャモード、コピー機能を実行するコピーモード、スキャナ機能を実行するスキャナモード、ファクシミリ機能を実行するファクシミリモードなどに設定することができる。
【００４６】
また、テンキーを操作することにより、ファクシミリ送信における送信先の番号を入力したり、コピーを行う場合の印刷部数を入力することができる。表示画面は、設定された種々の値などを示す設定画面などを表示するものである。
【００４７】
フラッシュメモリ１０は、種々のデータの書き込み、および読み出しを行うことができる不揮発性のメモリである。ＭＦＰ１のＬＡＮ５０におけるネットワークアドレス（ＩＰアドレス）またはノード名などが記憶される。
【００４８】
ＬＡＮＩ／Ｆ５は、ネットワークであるＬＡＮ５０を介して通信を行うインターフェースである。なお、この実施形態では、ファイル転送のプロトコルとしてＦＴＰ（FileTransfer  Protocol）を使用して通信を行うものとする。フォトメディアキャプチャモードに設定されている場合には、ＦＴＰカードリーダ８に装着されたメモリカード４０に記憶されている画像ファイル４１（図３参照）を、このＬＡＮＩ／Ｆ５を介してＬＡＮ５０に接続されたＰＣ２０に出力することができる。
【００４９】
プリンタ装置６は、ＣＰＵ２からの指示に基づいて、所定の給紙位置（非図示）にセットされた記録紙への印刷を行うためのインクジェット方式のプリンタで構成され、記録紙を搬送する記録紙搬送用モータ（非図示）と、記録紙へインクを吐出する印字ヘッド（非図示）と、その印字ヘッドを搭載したキャリッジ（非図示）を移動させるキャリッジモータ（非図示）とを備えている。フォトメディアキャプチャモードに設定されている場合には、ＦＴＰカードリーダ８に装着されたメモリカード４０に記憶されている画像ファイル４１（図３参照）を直接このプリンタ装置６により印刷することができる。
【００５０】
スキャナ装置７は、ＣＰＵ２からの指示に基づいて、所定の読取位置（非図示）にセットされた原稿から画像の読み取りを行うものであり、ＭＦＰ１がコピーモードに設定されている場合には、このスキャナ装置７によって生成されたイメージデータは、プリンタ装置６により記録紙に印刷される。また、ＭＦＰ１がスキャナモードに設定されている場合には、このスキャナ装置７によって生成されたイメージデータは、ＲＡＭ３における所定の記憶領域に格納され、さらにＬＡＮ５０を介してＰＣ２０などに転送される。
【００５１】
ＦＴＰカードリーダ８は、各種メモリカード４０を着脱自在に装着可能な複数のスロットを備え、そのスロットに装着されたメモリカード４０に記憶されているデータを読み出したり、所望のデータを書き込むことができるものである。ＭＦＰ１がフォトメディアキャプチャモードに設定されている場合には、ＦＴＰカードリーダ８に装着されているメモリカード４０に記憶されているデータを読み出してプリンタ装置６により印刷を行うことができるとともに、メモリカード４０から読み出されたデータは、ＬＡＮ５０を介してＰＣ２０に出力することができる。メモリカード４０は、書き換えができると共に電源が遮断された場合でも記憶を保持するフラッシュメモリにより構成され、各社から種々のタイプのもの（例えば、ＳＤカードやｘＤカード）が提供されている。
【００５２】
このメモリカード４０は、デジタルカメラなどにより撮影された画像ファイル４１（図３参照）や、コンピュータなどにより作成されたテキストデータなどのデータを記憶するデータメモリを備えている。なお、ＭＦＰ１は、メモリカード４０内の画像ファイル４１を管理するファイルシステムとして、ＦＡＴを利用するものとして説明する。
【００５３】
ファクシミリ装置１１は、スキャナ装置７により読み取られたイメージデータや、ＬＡＮ５０を介して受信したデータなどを電話回線を介して送信し、電話回線を介して受信したデータをプリンタ装置６で印刷したり、ＬＡＮ５０を介してＰＣ２０へ送信したりすることができる。
【００５４】
次に、ＰＣ２０について説明する。ＰＣ２０は、ＣＰＵ２１と、そのＣＰＵ２１により実行される各種処理に必要なデータやプログラム等を一時的に記憶するためのメモリであるＲＡＭ２２と、ＣＰＵ２１により実行される各種の制御プログラムや固定値データを記憶するＲＯＭ２３と、各種設定を記憶し書き換え可能で不揮発性のメモリであるハードディスク２４と、各種機能を設定するための複数の操作入力キーを有するキーボードとマウスにより構成される入力装置２７と、各種情報を表示する液晶ディスプレイにより構成される表示パネル２５と、ＬＡＮ５０に接続するためのＬＡＮインターフェースであるＬＡＮＩ／Ｆ２６とを備えている。
【００５５】
ハードディスク２４には、ＯＳ（Operating  System）を記憶するＯＳメモリ２４ａと、各種アプリケーションプログラム（以下、アプリケーションと略す）を格納するアプリケーションメモリ２４ｂが備えられている。本実施例では、図５のフローチャートで示す処理を実行する画像閲覧専用アプリケーション（特許請求の範囲に記載の表示制御プログラムに相当）が、アプリケーションメモリ２４ｂに格納されているものとして説明する。この画像閲覧専用アプリケーションは、メモリカード４０内の複数の画像ファイル４１（図３参照）に対応する複数の画像を１つの画面内に縮小表示し、ユーザに閲覧させるためのアプリケーションである。
【００５６】
次に、図２〜図４を参照して、ＭＦＰ１とＰＣ２０とにより行われる処理の概要についてに説明する。
【００５７】
図２は、ＰＣ２０において表示パネル２５に表示されるサムネイル画像表示画面２８を示す図である。図２に示すように、サムネイル画像表示画面２８は、メモリカード４０内に設定されている複数のフォルダを記号化したフォルダアイコン２９ａがツリー表示されるツリー表示領域２９と、ツリー表示領域２９の右方に設けられ、メモリカード４０に記憶される画像ファイル４１のサムネイル画像３０ａが表示されるサムネイル画像表示領域３０とから構成される。サムネイル画像表示画面２８は、アプリケーションメモリ２４ｂに格納された画像閲覧専用アプリケーションを立ち上げることにより、表示される画面である。
【００５８】
ツリー表示によって、メモリカード４０に設定されているフォルダの階層構造をユーザに視覚的に認識させることができる。そして、ツリー表示領域２９に表示されるフォルダアイコン２９ａのいずれかがユーザによりクリックされると、そのクリックしたフォルダアイコン２９ａに対応するフォルダ内の画像ファイル４１に対応する複数の画像が、サムネイル画像表示領域３０に縮小表示される。なお、サムネイル画像表示領域３０に縮小表示された画像の１つ１つを、サムネイル画像３０ａと称する。
【００５９】
ユーザは、サムネイル画像表示領域３０に表示されるサムネイル画像３０ａによって、選択したフォルダ内に格納される画像ファイル４１を手軽且つ短時間に確認することができる。
【００６０】
図２に示すように、サムネイル画像表示領域３０に表示されるサムネイル画像３０ａには、そのサムネイル画像３０ａを選択するためのチェックボックス３０ｂが表示される。サムネイル画像３０ａのいずれかを選択する場合には、選択したいサムネイル画像３０ａの直近に設けられるチェックボックス３０ｂにチェックを入れる。そして、チェックボックス３０ｂにチェックを入れた状態で、サムネイル画像表示領域３０の下方に表示されるコピー項目３０ｃをクリックすると、選択されたサムネイル画像３０ａに対応する画像ファイル４１が、メモリカード４０から読み込まれ、ＰＣ２０の指定された領域にコピーされる。
【００６１】
一方、チェックボックス３０ｂにチェックを入れた状態で、コピー項目３０ｃの右方に表示される印刷項目３０ｄをクリックすると、選択されたサムネイル画像３０ａに対応する画像ファイル４１が、ＭＦＰ１のプリンタ装置６において印刷される。
【００６２】
また、サムネイル画像表示領域３０における最上段には、全選択項目３０ｅと、全解除項目３０ｆとが表示される。全選択項目３０ｅがクリックされた場合、サムネイル画像表示領域３０内の全てのチャックボックス３０ｂにチェックが入れられる。一方、全解除項目３０ｆが指定された場合、サムネイル画像表示領域３０内の全てのチェックボックス３０ｂにおけるチェックが消去される。したがって、ユーザは、簡単な操作で、全てのサムネイル画像３０ａを選択し、または選択を解除することができる。
【００６３】
ＰＣ２０において、サムネイル画像３０ａを表示させるためには、サムネイル画像３０ａに対応したサムネイル画像データを取得する必要がある。ここで、デジタルカメラで撮影されたＪＰＥＧ形式の画像ファイル４１の先頭には、サムネイル画像データが記憶されている。よって、本実施例の画像表示システム１００では、ＪＰＥＧ形式の画像ファイル４１に予め格納されるサムネイル画像データを読み込み、ＰＣ２０におけるサムネイル画像３０ａの表示に利用することとした。
【００６４】
図３は、メモリカード４０に格納されるＪＰＥＧ形式の画像ファイル４１を模式的に示す図である。図３に示すようにＪＰＥＧ形式の画像ファイル４１は、静止画像に対応した圧縮データを格納する圧縮データ格納領域４２と、その圧縮データの先頭側において、圧縮データの付属情報を格納する付属情報格納領域４３とから構成される。そして、サムネイル画像データは、付属情報格納領域４３内であって、画像ファイル４１の先頭から６５ｋバイト分の領域に格納される。よって、本実施例においては、ＪＰＥＧ形式の画像ファイル４１に格納されたサムネイル画像データをＰＣ２０に出力するために、サムネイル画像データを含む、先頭から６５ｋバイト分の領域に格納されているデータを、ＰＣ２０に出力する。
【００６５】
図４を参照して、サムネイル画像表示領域３０にサムネイル画像３０ａを表示させる処理の概要を説明する。図４は、ＭＦＰ１とＰＣ２０において実行される処理の概要を示す模式図である。
【００６６】
ＰＣ２０において、ツリー表示されたフォルダアイコン２９ａ（図２参照）がクリックされると、ＰＣ２０は、クリックされたフォルダアイコン２９ａに対応するファイル名一覧を要求するリスト送信要求をＭＦＰ１に出力する［ａ］。ここで、リスト送信要求とは、クリックされたフォルダアイコン２９ａに対応するメモリカード４０内のフォルダについて、そのフォルダに格納されたファイル（ＪＰＥＧ形式であるか否かに関わらず）のファイル名が記述されたファイル名一覧を要求するコマンドである。
【００６７】
ＭＦＰ１は、リスト送信要求を受信すると、メモリカード４０内の対応するフォルダのファイル名一覧を作成し、リスト送信要求元のＰＣ２０へ送信する［ｂ］。
【００６８】
ＰＣ２０は、ＭＦＰ１からファイル名一覧を受信すると、そのファイル名一覧を解析し、ファイル名一覧に含まれるファイル名のうち、ＪＰＥＧ形式の画像ファイル４１のファイル名（以下、ＪＰＥＧファイル名と称する）が記述されたＪＰＥＧファイルリストを作成し、ＪＰＥＧファイル名を取得する［ｃ］。そして、取得したＪＰＥＧファイル名のそれぞれに、コマンド「ｐａｒｔ＝０−１０３ｆｆ」を付加する［ｄ］。なお、コマンド「ｐａｒｔ＝０−１０３ｆｆ」とファイル名との間には、セパレータとしての記号「：」が付加される。すなわち、例えば、ＪＰＥＧファイル名「ａａａ．ｊｐｅｇ」は、コマンドが付加されて、「ａａａ．ｊｐｅｇ：ｐａｒｔ＝０−１０３ｆｆ」とされる。
【００６９】
次にそれぞれコマンドが付加されたＪＰＥＧファイル名が、ＰＣ２０からＭＦＰ１へ出力される［ｅ］。そして、ＪＰＥＧファイル名に付加されたコマンドがＭＦＰ１において受信されると、ＭＦＰ１内では、セパレータ「：」がキャリッジリターン（改行）として機能し、ＪＰＥＧファイル名と、コマンド「ｐａｒｔ＝０−１０３ｆｆ」とが分離される。ここで、セパレータとして利用した記号「：」は、ＦＴＰプロトコル内ではファイル名の文字として使用可能であると共に、ＭＦＰ１で利用されるファイルシステム（本実施例ではＦＡＴ）ではファイル名として認識されない記号である。よって、コマンドが付加されたファイル名（例えば、「ａａａ．ｊｐｅｇ：ｐａｒｔ＝０−１０３ｆｆ」）は、ＦＴＰプロトコル内では、一体的なファイル名として通過し、ＭＦＰ１へ送信されると共に、受信したＭＦＰ１内では、セパレータとして機能させることができる。
【００７０】
そして、ＭＦＰ１では、セパレータ「：」により、ＪＰＥＧファイル名から分離されたコマンド「ｐａｒｔ＝０−１０３ｆｆ」に従って、ＪＰＥＧファイル名（例えば、「ａａａ．ｊｐｅｇ」）で特定される画像ファイル４１の先頭から１０３ｆｆ（約６５ｋバイト）の領域に格納されているデータを、各画像ファイル４１について用意する［ｆ］。そして用意したデータを、ＰＣ２０へ出力する［ｇ］。上述したように、ＪＰＥＧ形式の画像ファイル４１は、その先頭から６５ｋバイト分の領域にサムネイル画像データが格納されている。よって、各画像ファイル４１について、先頭から１０３ｆｆの領域に格納されているデータをＰＣ２０へ出力することにより、確実に、サムネイル画像データをＰＣ２０へ出力することができる。ＭＦＰ１からデータを受信したＰＣ２０は、受信したサムネイル画像データに基づいて、サムネイル画像表示領域３０（図２参照）にサムネイル画像３０ａを表示させる。
【００７１】
以上のように、ＰＣ２０とＭＦＰ１とにおける処理の概略について説明したが、次に、図５を参照してＰＣ２０における処理と、図６を参照してＭＦＰ１における処理のそれぞれについて説明する。
【００７２】
図５は、ＰＣ２０におけるサムネイル画像表示処理を示すフローチャートである。サムネイル画像表示処理は、ＰＣ２０において表示されたツリー表示領域２９において、ツリー表示されたフォルダアイコン２９ａの一つがクリックされた場合に開始する処理である。
【００７３】
まず、リスト送信要求をＭＦＰ１に出力することにより、クリックされたフォルダアイコン２９ａに対応するファイル名一覧を要求する（Ｓ２）。次に、リスト送信要求に応答してＭＦＰ１から出力されるファイル名一覧を受信するまで待機する（Ｓ４）。そして、ＭＦＰ１からファイル名一覧を受信すると（Ｓ４：Ｙｅｓ）、受信したファイル名一覧を解析して、ＪＰＥＧファイルリストを作成し、ＪＰＥＧファイル名を取得する（Ｓ６）。
【００７４】
次に、取得したＪＰＥＧファイル名のそれぞれに、コマンド「ｐａｒｔ＝０−１０３ｆｆ」およびコマンドとファイル名とのセパレータ「：」を付加し、ＭＦＰ１に出力する（Ｓ８）。そして、コマンド「ｐａｒｔ＝０−１０３ｆｆ」に応じてＭＦＰ１から出力される、ＪＰＥＧ形式画像ファイル４１の先頭から１０３ｆｆの領域に格納されるデータを受信するまで待機する（Ｓ１０）。そして、ＪＰＥＧ形式画像ファイル４１の先頭から１０３ｆｆの領域に格納されるデータを受信すると（Ｓ１０：Ｙｅｓ）、受信したデータ中に、サムネイル画像データが含まれているか否かを判断する（Ｓ１２）。
【００７５】
そして、サムネイル画像データが含まれる場合（Ｓ１２：Ｙｅｓ）、そのサムネイル画像データに基づいて、サムネイル画像表示領域３０（図２参照）に、サムネイル画像３０ａを表示させ（Ｓ１３）、全てのデータを処理をしたか否かを判断する（Ｓ１４）。全てのデータの処理が終了していない場合（Ｓ１４：Ｎｏ）、Ｓ１２の処理に戻る。一方、全てのデータの処理を終了した場合（Ｓ１４：Ｙｅｓ）処理を終了する。
【００７６】
図６は、ＭＦＰ１におけるサムネイル画像データ出力処理を示すフローチャートである。サムネイル画像データ出力処理は、ＰＣ２０からリスト送信要求を受信した場合に開始する処理である。
【００７７】
まず、ＰＣ２０からリスト送信要求を受信すると、ＰＣ２０においてクリックされたフォルダアイコン２９ａに対応するメモリカード４０内のフォルダについて、そのフォルダに格納された画像ファイル４１のファイル名を抽出し、そのファイル名が記述されたファイル名一覧を作成する（Ｓ２２）。そして、作成したファイル名一覧を、リスト送信要求元であるＰＣ２０へ出力する（Ｓ２４）。
【００７８】
次に、ＪＰＥＧファイル名に付加されたコマンド「ｐａｒｔ＝０−１０３ｆｆ」を受信するまで待機する（Ｓ２６）。そして、ＪＰＥＧファイル名に付加されたコマンド「ｐａｒｔ＝０−１０３ｆｆ」を受信すると（Ｓ２６：Ｙｅｓ）、コマンド「ｐａｒｔ＝０−１０３ｆｆ」に従って、ＪＰＥＧファイル名で特定される画像ファイル４１の先頭から１０３ｆｆ（約６５ｋバイト）の領域に格納されているデータを、各画像ファイル４１について用意し、ＰＣ２０へ出力する（Ｓ２８）。これにより、ＰＣ２０においてクリックされたフォルダアイコン２９ａに対応するフォルダ内の複数の画像ファイル４１を、ＰＣ２０において、サムネイル画像表示領域３０に縮小表示させることができる。
【００７９】
以上、実施例に基づいて説明したように、ＭＦＰ１では、各画像ファイル４１について、先頭から１０３ｆｆの領域に格納されているデータをＰＣ２０へ出力することにより、サムネイル画像データをＰＣ２０へ出力することができる。
【００８０】
よって、ＦＴＰをプロトコルとするネットワークを介して、メモリカード４０が記憶する情報を出力するＭＦＰ１（リムーバブルメディア装置）が用いられる場合であっても、メモリカード４０内の画像ファイル４１を手軽且つ短時間で確認することができる。
【００８１】
以上、実施例に基づき本発明を説明したが、本発明は上述した実施例に何ら限定されるものでなく、本発明の趣旨を逸脱しない範囲内で種々の改良変形が可能であることは容易に推察できるものである。
【００８２】
例えば、上記実施例では、ＦＴＰカードリーダ８は、ＭＦＰ１に組み込まれているものとしたが、カードリーダまたはカードリーダライタ単独の機能を有するものでもよい。
【００８３】
また、上記実施例では、ＪＰＥＧ形式の画像データには、必ずサムネイル画像データが含まれるものとして説明したが、サムネイル画像データが格納されていないＪＰＥＧ形式の画像ファイルも一部存在する。そのような場合には、先頭から６５ｋバイト分の領域に格納されたデータを出力することに替えて、ＭＦＰ１でサムネイル画像データを生成し、ＰＣ２０に出力するように構成してもよい。このようにすれば、画像ファイル全体をＰＣ２０に出力する場合に比較して、ＰＣ２０へ出力されるデータのサイズが小さいので、データ通信に要する時間を短縮でき、メモリカード４０内の画像ファイル４１を手軽且つ短時間でユーザに確認させることができる。
【００８４】
また、本実施例では、ＪＰＥＧ画像ファイルの先頭から６５ｋバイト分のデータを出力するものとして説明したが、サムネイル画像データが含まれている領域のデータを出力できればよく、６５ｋバイト未満のデータを出力するように構成しても良い。
【００８５】
また、ＪＰＥＧ形式の画像ファイル４１にサムネイル画像データが含まれていない場合には、規定のアイコンが代替して表示されるように、規定のデータをＰＣ２０に送信しても良い。或いは、ＰＣ２０において、受信したデータにサムネイル画像データが含まれていない場合には、単に規定デザインのアイコンで代替して表示するように構成しても良い。
【００８６】
また、本実施例では、ファイルシステムがＦＡＴであるものとして説明したが、ファイルシステムとして、例えば、ＮＴＦＳ（ＮＴ  Ｆｉｌｅ  Ｓｙｓｔｅｍ）など他のファイルシステムが用いられる場合にも本発明を適用することができる。
【図面の簡単な説明】
【００８７】
【図１】本発明の実施例の画像表示システムを示すブロック図である。
【図２】ＰＣにおいて表示パネルに表示されるサムネイル画像表示画面を示す図である。
【図３】メモリカードに格納されるＪＰＥＧ形式の画像ファイルを模式的に示す図である。
【図４】ＭＦＰとＰＣにおいて実行される処理の概要を示す模式図である。
【図５】ＰＣにおけるサムネイル画像表示処理を示すフローチャートである。
【図６】ＭＦＰにおけるサムネイル画像データ出力処理を示すフローチャートである。
【図７】（ａ）は、従来のＵＳＢ方式のリムーバブルメディア装置で読み込まれた画像データを、ＰＣの表示画面にサムネイル表示した状態の一例を示す図であり、（ｂ）は、従来のＦＴＰ方式のリムーバブルメディア装置で読み込まれた画像データを、ＰＣの表示画面に表示した状態を示す図である。
【符号の説明】
【００８８】
１                  ＭＦＰ（リムーバブルメディア装置，画像記憶装置）
５                  ＬＡＮＩ／Ｆ（通信手段）
２０                ＰＣ（画像処理装置）
２５                表示パネル（表示手段）
２６                ＬＡＮＩ／Ｆ（通信手段）
４０                メモリカード（リムーバブルメディア，記憶手段）
４１                ＪＰＥＧ形式の画像ファイル
５０                ＬＡＮ（ネットワーク）
１００              画像表示システム
Ｓ６                ファイル名取得ステップ，ファイル名取得手段
Ｓ８                コマンド出力ステップ，コマンド出力手段，第１出力ステップ
Ｓ１２              サムネイル表示ステップ，サムネイル表示手段
Ｓ２８              送信手段，送信ステップ，第２出力ステップ
【図１】
0004702123.tif 000002
【図２】
0004702123.tif 000003
【図３】
0004702123.tif 000004
【図４】
0004702123.tif 000005
【図５】
0004702123.tif 000006
【図６】
0004702123.tif 000007
【図７】
0004702123.tif 000008